(57)【要約】【課題】  よりコンパクトかつより安価な構成で各部の温度を認識可能な電動工具を得る。【解決手段】  電動工具１において、樹脂製のハウジング４および樹脂製のプロテクタ７，８のうち少なくともいずれか一方に、温度に応じて変色する示温剤を含有させた。【選択図】      図１
2006272485.tif 000002
【特許請求の範囲】
【請求項１】
駆動源であるモータと、前記モータの回転動力を減速する減速機構部と、前記減速機構部の回転動力をその先端側に取り付けた工具に伝達する工具駆動部と、前記モータへの電力供給を制御するスイッチ部と、前記モータ、減速機構部、およびスイッチ部を内包する樹脂製のハウジングと、前記工具駆動部を内包し前記ハウジングに固定される駆動部カバーと、前記駆動部カバーを覆う樹脂製のプロテクタと、を備えた電動工具において、
前記樹脂製のハウジングおよびプロテクタのうち少なくともいずれか一方に、温度に応じて変色する示温剤を含有させたことを特徴とする電動工具。
【請求項２】
前記示温剤は可逆性を有することを特徴とする請求項１に記載の電動工具。
【請求項３】
前記樹脂製のハウジングおよびプロテクタのうち少なくともいずれか一方に、温度に対応する色が異なる複数の示温剤を含有させたことを特徴とする請求項１または２に記載の電動工具。
【請求項４】
駆動源であるモータと、前記モータの回転動力を減速する減速機構部と、前記減速機構部の回転動力をその先端側に取り付けた工具に伝達する工具駆動部と、前記モータへの電力供給を制御するスイッチ部と、前記モータ、減速機構部、およびスイッチ部を内包するハウジングと、前記工具駆動部を内包し前記ハウジングに固定される駆動部カバーと、前記駆動部カバーを覆うプロテクタと、を備えた電動工具において、
前記ハウジングおよびプロテクタのうち少なくともいずれか一方の表面に、温度に応じて変色する示温剤を含む示温テープを固定したことを特徴とする電動工具。
【請求項５】
前記示温テープの表面に、紫外線の透過を抑制するフィルムを設けたことを特徴とする請求項４に記載の電動工具。
【請求項６】
駆動源であるモータと、前記モータの回転動力を減速する減速機構部と、前記減速機構部の回転動力をその先端側に取り付けた工具に伝達する工具駆動部と、前記モータへの電力供給を制御するスイッチ部と、前記モータ、減速機構部、およびスイッチ部を内包するハウジングと、前記工具駆動部を内包し前記ハウジングに固定される駆動部カバーと、前記駆動部カバーを覆うプロテクタと、を備えた電動工具において、
温度に応じて変色する示温剤を含む示温テープを前記駆動部カバーの表面に固定するとともに、前記プロテクタに当該示温テープを露出させる開口部を設け、示温テープの周縁部を駆動部カバーとプロテクタとで狭持するようにしたことを特徴とする電動工具。
【発明の詳細な説明】
【技術分野】
【０００１】
本発明は、ドリルドライバや、インパクトドライバ、オイルパルスドライバ等の電動工具に関する。
【背景技術】
【０００２】
従来より、駆動源であるモータと、モータの回転動力を減速する減速機構部と、減速機構部の回転動力をその先端側に取り付けた工具に伝達する工具駆動部と、モータへの電力供給を制御するスイッチ部と、モータ、減速機構部およびスイッチ部を内包するハウジングと、を備えた電動工具が知られている（例えば特許文献１）。
【０００３】
この種の電動工具では、電力を供給してモータを回転駆動させると、当該モータは発熱する。したがって、モータの過熱を抑制すべく、ファン等を設けてモータを冷却することが、一般的に行われている。
【０００４】
また、減速機構部や工具駆動部では、ギヤ等の回転部分の機械的摩擦を主因として熱が発生する一方、モータに電力を供給する電池パックや、スイッチ部、リード線等では、ジュール熱を主因とする熱が発生する。
【特許文献１】特開２００３−２１１３７４号公報
【発明の開示】
【発明が解決しようとする課題】
【０００５】
このように、この種の電動工具は種々の発熱源を有しているが、それらを冷却するための機構としては、部品レイアウトや、軽量化、製造コスト等の観点から、モータ用の冷却ファンのみとする場合が多く、かかる構成では、当該冷却ファンによって上記発熱箇所の全てを冷却するのは困難である。
【０００６】
そこで、従来は、モータ以外の発熱箇所については、発熱量自体を低減することで対策を行っていた。すなわち、減速機構部や工具駆動部については、グリス等の潤滑剤によって機械的な摩擦抵抗を下げて発熱量を低減し、電池パックや、スイッチ部、リード線等では、電気抵抗を下げて発熱量を低減していた。
【０００７】
しかしながら、この種の電動工具を、コーチねじ等の太いねじの連続締め付け作業や、径の太いドリルによる深い穴の穴あけ作業など、より高負荷の作業に使用する場合があり、そのような場合には、発熱量が増大し、各部の温度が耐熱許容温度に近づくおそれがあった。
【０００８】
かかる問題の対策として、電動工具に、サーミスタ等の温度センサを設け、設定温度を超えたときには工具を強制停止させるように構成することが考えられる。
【０００９】
しかしながら、その場合には、複数存在する発熱部毎に温度センサと保護手段とを設ける必要が生じ、装置構成の大型化や製造コストの増大といった問題が生じてしまう。
【００１０】
そこで、本発明は、よりコンパクトかつより安価な構成で各部の温度を認識可能な電動工具を得ることを目的とする。
【課題を解決するための手段】
【００１１】
請求項１の発明にあっては、駆動源であるモータと、上記モータの回転動力を減速する減速機構部と、上記減速機構部の回転動力をその先端側に取り付けた工具に伝達する工具駆動部と、上記モータへの電力供給を制御するスイッチ部と、上記モータ、減速機構部、およびスイッチ部を内包する樹脂製のハウジングと、上記工具駆動部を内包し上記ハウジングに固定される駆動部カバーと、上記駆動部カバーを覆う樹脂製のプロテクタと、を備えた電動工具において、上記樹脂製のハウジングおよびプロテクタのうち少なくともいずれか一方に、温度に応じて変色する示温剤を含有させたことを特徴とする。
【００１２】
請求項２の発明にあっては、上記示温剤は可逆性を有することを特徴とする。
【００１３】
請求項３の発明にあっては、上記樹脂製のハウジングおよびプロテクタのうち少なくともいずれか一方に、温度に対応する色が異なる複数の示温剤を含有させたことを特徴とする。
【００１４】
請求項４の発明にあっては、駆動源であるモータと、上記モータの回転動力を減速する減速機構部と、上記減速機構部の回転動力をその先端側に取り付けた工具に伝達する工具駆動部と、上記モータへの電力供給を制御するスイッチ部と、上記モータ、減速機構部、およびスイッチ部を内包するハウジングと、上記工具駆動部を内包し上記ハウジングに固定される駆動部カバーと、上記駆動部カバーを覆うプロテクタと、を備えた電動工具において、上記ハウジングおよびプロテクタのうち少なくともいずれか一方の表面に、温度に応じて変色する示温剤を含む示温テープを固定したことを特徴とする
請求項５の発明にあっては、上記示温テープの表面に、紫外線の透過を抑制するフィルムを設けたことを特徴とする。
【００１５】
請求項６の発明にあっては、駆動源であるモータと、上記モータの回転動力を減速する減速機構部と、上記減速機構部の回転動力をその先端側に取り付けた工具に伝達する工具駆動部と、上記モータへの電力供給を制御するスイッチ部と、上記モータ、減速機構部、およびスイッチ部を内包するハウジングと、上記工具駆動部を内包し上記ハウジングに固定される駆動部カバーと、上記駆動部カバーを覆うプロテクタと、を備えた電動工具において、上記駆動部カバーの表面に温度に応じて変色する示温剤を含む示温テープを固定するとともに、当該示温テープを露出させる開口部を上記プロテクタに設け、示温テープの周縁部を駆動部カバーとプロテクタとで狭持するようにしたことを特徴とする。
【発明の効果】
【００１６】
請求項１の発明によれば、樹脂製のハウジングおよびプロテクタのうち少なくともいずれか一方に含有させた示温剤により、当該樹脂製のハウジングまたはプロテクタのうち少なくともいずれか一方の色が、各部の温度に応じて変化するため、視覚によって、発熱部位を特定しやすくなる上、当該発熱部位の温度を識別しやすくなるという利点がある。
【００１７】
請求項２の発明によれば、可逆性のある示温剤により、反復使用ならびに長期使用を可能にし、さらには、発熱部位の色が発熱前の色に戻ることによって、当該発熱部位の温度低下を認識させることができる。
【００１８】
請求項３の発明によれば、含有させた複数の示温剤について、温度に対応する色が相互に異なるようにしたため、各示温剤の色の混合色として、温度に応じたより多彩な色変化を生じさせることができ、発熱部位の温度の識別性を向上させることができる。
【００１９】
請求項４の発明によれば、ハウジングおよびプロテクタのうち少なくともいずれか一方の表面に設けた上記示温テープの色により、視覚によって、発熱部位を特定しやすくなる上、当該発熱部位の温度を識別しやすくなるという利点がある。
【００２０】
請求項５の発明によれば、示温テープの表面に設けた紫外線の透過を抑制するフィルムにより、当該示温テープの色の劣化を抑制することができる。
【００２１】
請求項６の発明によれば、示温テープの周縁部を駆動部カバーとプロテクタとで狭持するという比較的簡素な構成によって、示温テープをより確実にことができる。
【発明を実施するための最良の形態】
【００２２】
（第１実施形態）図１は、本実施形態にかかる電動工具の側面図、図２は、電動工具の内部の概略構成を示す側面図である。
【００２３】
電動工具１は、駆動源であるモータ１１と、モータ１１の回転動力を減速する減速機構部２と、減速機構部２の回転動力をその先端側に取り付けた工具（図示せず）に伝達する工具駆動部３と、モータ１１への電力供給を制御するスイッチ部５と、モータ１１、減速機構部２およびスイッチ部５を内包する樹脂製のハウジング４と、工具駆動部３を内包しハウジング４に固定される駆動部カバー６と、駆動部カバー６を覆う樹脂製のプロテクタ７，８と、を備えている。また、ハウジング４のハンドル部４ａの下端には、モータ１１に電力を供給する電池パック９が着脱可能に取り付けられている。そして、電池パック９や、モータ１１、スイッチ部５等の電気部品は、リード線１０を介して相互に接続されている。
【００２４】
かかる電動工具１では、モータ１１の他、減速機構部２や、工具駆動部３、スイッチ部５、リード線１０、電池パック９、リード線１０等で、機械的摩擦やジュール熱等による発熱が生じ、負荷が高いほど、その発熱量が高くなって温度が上昇する。そこで、本実施形態では、樹脂製のハウジング４および樹脂製のプロテクタ７，８のうち少なくともいずれか一つ（本実施形態ではそれら全て）に示温剤を含有させ、発熱が生じたときに、示温剤を含有させたハウジング４またはプロテクタ７，８を変色させることで、これら各部位における発熱状態を視覚的に認識できるようにしている。
【００２５】
まず、ハウジング４に示温剤を含有させた場合、このハウジング４には、モータ１１や、減速機構部２、スイッチ部５、リード線１０等が内包されているため、使用者は、これらの各部位における発熱を、ハウジング４の変色として、視覚的に認識することができる。このとき、示温剤は、例えば、各部の耐熱許容温度で異常を判別可能な色（異常対応色；異常に対応させて設定された色；例えば黄色や赤色等）に変色するようにしておく。よって、使用者は、電動工具１を使用中に、ハウジング４の色が、異常対応色に変化したことを視覚的に認識し、電動工具１の使用を中止させることができる。なお、温度に対応する色の変化や、異常対応色は、パンフレットや、使用説明書、ハウジング４の表面に記載する等して、使用者が予め認識できるようにすればよい。
【００２６】
一方、プロテクタ７，８には、熱伝導性の高い金属性の駆動部カバー６が内包されており、さらに、この駆動部カバー６には、減速機構部２や工具駆動部３が内包されている。したがって、減速機構部２や工具駆動部３で生じた熱は、駆動部カバー６内を伝導して、プロテクタ７，８に伝わる。よって、プロテクタ７，８に示温剤を含有させた場合、使用者は、減速機構部２や工具駆動部３の発熱を、プロテクタ７，８の変色として、視覚的に認識することができる。この場合も、示温剤は、減速機構部２または工具駆動部３の耐熱許容温度で異常対応色に変色するようにしておく。したがって、使用者は、電動工具１を使用中に、プロテクタ７，８の色が、異常対応色に変化したことを視覚的に認識し、電動工具１の使用を中止させることができる。
【００２７】
かかる構成により、電動工具１の各部の温度の異常な上昇が抑制され、各部の故障や熱による変形や損傷等を回避することができる。
【００２８】
ここで、示温剤としては、可逆性のある示温剤を用いるのが好適である。こうすることで、示温剤の反復使用ならびに長期使用が可能になるとともに、発熱部位の色が発熱前の色に戻ることによって、当該発熱部位の温度低下を認識させることができる。
【００２９】
さらに、この示温剤としては、温度上昇時の変色温度と、温度下降時の変色温度とが異なる、所謂温度ヒステリシスを有する示温剤を用いるのが好適である。いま仮に、温度が上昇する場合には６０℃で赤色から茶色に変色し、温度が下降する場合には４５℃で茶色から赤色に変色する示温剤を用いた場合を考える。この場合、使用中の発熱によってハウジング４（示温剤）の温度が６０℃を超え、使用者が茶色に変色したことに気がついて使用を中止したときには、その後、自然冷却等で４５℃より低くならない限り、茶色から赤色には戻らない。これに対し、温度上昇時と温度下降時とで、変色温度が同じであったとすると、使用中止後、６０℃より少しでも低くなった時点で赤色に戻ってしまうため、使用者が異常状態が解消されたと判断して再使用を開始すると、またすぐに６０℃を超えてしまうことになる。つまり、温度上昇時の変色温度と温度下降時の変色温度とを相互に異なる温度に設定しておくことで、耐熱許容温度までの余裕があるより低い温度に下がるまで作業の再開を抑制し、発熱部位をより確実に冷却することができるようになり、安全性および作業効率をより一層向上させることができる。
【００３０】
また、示温剤として、温度に対応する色（色の変化特性）が異なる複数の示温剤を含有させるようにしてもよい。いま仮に、一例として、４５℃より低い状態では赤色、高い状態では無色に変色する第１の示温剤と、６０℃より低い状態では青色、高い状態では黄色に変色する第２の示温剤とを、適切な割合で含有させた場合を考える。この場合、ハウジング４の色は、第１の示温剤の色と第２の示温剤の色とが混ざり合った色となるため、４５℃より低い状態では、赤色と青色とが混ざり合った紫色、４５℃〜６０℃の状態では、無色と青色とが混ざり合った青色、６０℃より高い状態では、無色と黄色とが混ざり合った黄色となる。また、別の例として、４５℃より低い状態では赤色、高い状態では白色に変色する第１の示温剤と、６０℃より低い状態では青色、高い状態では黄色に変色する第２の示温剤とを、適切な割合で含有させた場合には、４５℃より低い状態では、赤色と青色とが混ざり合った紫色、４５℃〜６０℃の状態では、白色と青色とが混ざり合った水色、６０℃より高い状態では、白色と黄色とが混ざり合った薄黄色となる。
【００３１】
このように、温度に対応する色（色の変化特性）が異なる複数の示温剤を用いることで、各示温剤の色の混合色として、温度に応じたより多彩な色変化を生じさせることができ、発熱部位の温度の識別性を向上させることができる。
【００３２】
以上の本実施形態によれば、樹脂製のハウジングおよびプロテクタのうち少なくともいずれか一方に含有させた示温剤により、当該樹脂製のハウジングまたはプロテクタのうち少なくともいずれか一方の色が、各部の温度に応じて変化するため、視覚によって、発熱部位を特定しやすくなる上、当該発熱部位の温度を識別しやすくなるという利点がある。
【００３３】
また、本実施形態によれば、可逆性のある示温剤を用いたため、反復使用ならびに長期使用を可能にし、さらには、発熱部位の色が発熱前の色に戻ることによって、当該発熱部位の温度低下を認識させることができる。
【００３４】
また、本実施形態によれば、温度ヒステリシスを有する示温剤を用いたため、耐熱許容温度までの余裕があるより低い温度に下がるまで作業の再開を抑制して、発熱部位をより確実に冷却することができるようになり、安全性および作業効率をより一層向上させることができる。
【００３５】
また、本実施形態によれば、温度に対応する色（色の変化特性）が異なる複数の示温剤を混合して用いたため、各示温剤の色の混合色として、温度に応じたより多彩な色変化を生じさせることができ、発熱部位の温度の識別性を向上させることができる。
【００３６】
（第２実施形態）図３は、本実施形態にかかる電動工具の側面図、図４は、電動工具の一部断面図（図３のＡ−Ａ断面図）である。なお、本実施形態にかかる電動工具は、上記実施形態と同様の構成要素を備えている。よって、それら同様の構成要素については同じ符号を付し、重複する説明については省略する。
【００３７】
本実施形態にかかる電動工具１Ａは、樹脂製のハウジング４Ａやプロテクタ７Ａ，８に示温剤を含有させるのではなく、ハウジング４Ａやプロテクタ７Ａの表面に示温テープ１２を貼着して固定したものである。このように、示温テープ１２を発熱部位の表面に設けることによっても、上記実施形態と同様の効果を得ることができる。なお、本実施形態では、示温テープ１２を、ハウジング４Ａのモータ１１の外側となる位置およびスイッチ部５の外側となる位置、ならびにプロテクタ７Ａの工具駆動部３の外側となる位置に設けているが、かかる位置には限定されない。
【００３８】
ここで、発熱部位に応じて耐熱許容温度が異なる場合があるが、本実施形態の構成の場合、発熱部位に応じて、温度に対応する色（色の変化特性；変色温度）が異なる示温テープ１２を設けることで、各部位の異常な発熱状態をより一層確実に認識させることができる。
【００３９】
また、本実施形態では、示温テープ１２の表面を、紫外線の透過を抑制する紫外線透過抑制フィルム１３で覆っている。これにより、日光等の紫外線による示温テープ１２の色の劣化を抑制することができる。この場合、さらに、示温テープ１２および紫外線透過抑制フィルム１３の周縁外側に突起１４，１５を設け、電動工具１Ａの使用時に、紫外線透過抑制フィルム１３や示温テープ１２が、壁等と接触するなどして剥がれるのを抑制している。かかる構成では、図４に示すように、突起１４，１５を高くして、紫外線透過抑制フィルム１３の表面より外側に張り出させ、壁等との接触機会をなるべく減らすようにするのが好適である。
【００４０】
（第３実施形態）図５は、本実施形態にかかる電動工具の駆動部カバーおよびプロテクタの分解斜視図である。なお、本実施形態にかかる電動工具は、上記実施形態と同様の構成要素を備えている。よって、それら同様の構成要素については同じ符号を付し、重複する説明については省略する。また、図示していない部分は、上記実施形態のうちいずれかにかかる電動工具とほぼ同様の構成とすることができる。
【００４１】
本実施形態にかかる電動工具は、示温テープ１２およびその表面を覆う紫外線透過抑制フィルム１３を、駆動部カバー６Ｂの表面に貼着して固定する一方、当該駆動部カバー６Ｂを覆うプロテクタ７Ｂに開口部７ａを設けて、当該開口部７ａから示温テープ１２および紫外線透過抑制フィルム１３を露出させるとともに、それら示温テープ１２および紫外線透過抑制フィルム１３の周縁部を、開口部７ａの周縁部で押さえつけることにより、示温テープ１２および紫外線透過抑制フィルム１３が剥がれるのを抑制したものである。このように、本実施形態によれば、示温テープ１２および紫外線透過抑制フィルム１３の周縁部を駆動部カバー６Ｂとプロテクタ７Ｂとで狭持することにより、比較的簡素な構成で、示温テープ１２および紫外線透過抑制フィルム１３をより確実に固定することができる。
【００４２】
（第４実施形態）図６は、本実施形態にかかる電動工具の側面図である。なお、本実施形態にかかる電動工具は、上記実施形態と同様の構成要素を備えている。よって、それら同様の構成要素については同じ符号を付し、重複する説明については省略する。
【００４３】
本実施形態にかかる電動工具１Ｃも、上記第２実施形態と同様に、ハウジング４Ｃやプロテクタ７Ａ，８の表面に示温テープ１２を貼着して固定したものである。ただし、本実施形態では、示温テープ１２およびその表面を覆う紫外線透過抑制フィルム１３の周囲を覆うカバー１６を、ネジ等の取付具１７を用いてハウジング４Ｃ等に取り付けたものである。かかる構成によっても、上記実施形態と同様の効果を得ることができる。なお、プロテクタ７Ａに対しても、示温テープ１２および紫外線透過抑制フィルム１３に対応するカバーを設けても良いことは言うまでもない。
【００４４】
（第５実施形態）図７は、本実施形態にかかる電動工具の側面図である。なお、本実施形態にかかる電動工具は、上記実施形態と同様の構成要素を備えている。よって、それら同様の構成要素については同じ符号を付し、重複する説明については省略する。
【００４５】
本実施形態にかかる電動工具１Ｄは、ハウジング４Ｄやプロテクタ７Ｄに開口部２０を設ける一方、その内側の発熱部位等に示温テープ１２およびその表面を覆う紫外線透過抑制フィルム１３を貼着して固定して、当該開口部２０から示温テープ１２および紫外線透過抑制フィルム１３を露出させるとともに、それら示温テープ１２および紫外線透過抑制フィルム１３の周縁部を、開口部２０の周縁部で押さえつけることにより、示温テープ１２および紫外線透過抑制フィルム１３が剥がれるのを抑制したものである。かかる構成でも、上記実施形態と同様の効果を得ることができる。
【００４６】
特に、本実施形態の場合には、示温テープ１２および紫外線透過抑制フィルム１３を、発熱部位に直接的にあるいは発熱部位に隣接させて設けるのが好適である。本実施形態では、モータ１１、減速機構部２、工具駆動部３、およびスイッチ部５のケーシング表面、ならびにリード線１０の表面に、示温テープ１２および紫外線透過抑制フィルム１３を固定するとともに、ハウジング４Ｄおよびプロテクタ７Ｄのそれらに対応する位置に開口部２０（モータ１１に対しては２０ａ、減速機構部２に対しては２０ｂ、工具駆動部３に対しては２０ｃ、リード線１０に対しては２０ｄ、スイッチ部５に対しては２０ｅ）を設け、これら開口部２０から示温テープ１２および紫外線透過抑制フィルム１３を露出させている。このように、示温テープ１２を発熱部位に直接的にあるいは隣接させて設けることで、異常な発熱状態をより一層確実に認識させることができる。
【００４７】
以上、本発明の好適な実施形態について説明したが、本発明は上記実施形態に限定されるものではなく、種々の変形が可能である。
【図面の簡単な説明】
【００４８】
【図１】本発明の第１実施形態にかかる電動工具の側面図。
【図２】本発明の実施形態にかかる電動工具の内部の概略構成を示す側面図。
【図３】本発明の第２実施形態にかかる電動工具の側面図。
【図４】本発明の第２実施形態にかかる電動工具の一部断面図（図３のＡ−Ａ断面図）。
【図５】本発明の第３実施形態にかかる電動工具の駆動部カバーおよびプロテクタの分解斜視図。
【図６】本発明の第４実施形態にかかる電動工具の側面図。
【図７】本発明の第５実施形態にかかる電動工具の側面図。
【符号の説明】
【００４９】
１，１Ａ，１Ｃ，１Ｄ  電動工具
２  減速機構部
３  工具駆動部
４，４Ａ，４Ｃ，４Ｄ  ハウジング
５  スイッチ部
６，６Ｂ  駆動部カバー
７，７Ａ，７Ｂ，７Ｄ，８  プロテクタ
７ａ，２０，２０ａ〜２０ｅ  開口部
９  電池パック
１１  モータ
１２  示温テープ
１３  紫外線透過抑制フィルム
【図１】
2006272485.tif 000003
【図２】
2006272485.tif 000004
【図３】
2006272485.tif 000005
【図４】
2006272485.tif 000006
【図５】
2006272485.tif 000007
【図６】
2006272485.tif 000008
【図７】
2006272485.tif 000009